(57)【要約】      （修正有）【課題】室内および室外兼用履き用靴の靴底として、フェルトなどの繊維の生地が靴底下面から脱落することのない構造とした室内および室外兼用履き用の靴の靴底を提供する。【解決手段】合成ゴム又は熱可塑性ゴムからなる靴底１の土踏まずと足指間３の中央部３ｂの貫通穴部４に嵌合した靴底厚さ２ｂを有するフェルトなどの生地からなる繊維板状体５を、繊維板状体５の上面に一体形成した合成ゴム又は熱可塑性ゴム７からなる上面部材６により、靴底１の土踏まずと足指間３の合成ゴム又は熱可塑性ゴム７からなる周辺部３ａの上面３ｃに一体的に取り付けて繊維板状体５の下面５ｂを靴底１の貫通穴部４における靴底下面２ａとした。【選択図】図１
0003150791.tif 000002
【実用新案登録請求の範囲】
【請求項１】
合成ゴム又は熱可塑性ゴム７からなる靴底（１）の土踏まずと足指間（３）の中央部（３ｂ）の貫通穴部（４）に嵌合の上記の靴底（１）の靴底厚さ（２ｂ）より薄いフェルトなどの天然繊維や合成繊維などの繊維の生地からなる繊維板状体（５）と繊維板状体（５）の上面（５ａ）に一体形成した合成ゴム又は熱可塑性ゴム（７）からなる上面部材（６）により、靴底（１）の土踏まずと足指間（３）の合成ゴム又は熱可塑性ゴム（７）からなる周辺部（３ａ）の上面（３ｃ）に取り付け、繊維板状体（５）の下面（５ｂ）を靴底（１）の貫通穴部（４）における靴底面（２ａ）としたことを特徴とする室内および室外兼用履き用の靴の靴底（１）。
【請求項２】
請求項１に記載の考案における繊維板状体（５）の上面（５ａ）に一体形成した合成ゴム又は熱可塑性ゴム（７）からなる上面部材（６）は、繊維板状体（５）の上面（５ａ）およびその周辺である靴底上面（２ｃ）の貫通穴部（４）の周辺部（３ａ）への合成ゴム又は熱可塑性ゴム（７）の射出成形による一体形成からなることを特徴とする室内および室外兼用履き用の靴の靴底（１）。
【請求項３】
請求項２に記載の考案における合成ゴム又は熱可塑性ゴム（７）の射出成形による一体形成に代えて、繊維板状体（５）の上面（５ａ）に一体形成した合成ゴム又は熱可塑性ゴム（７）からなる上面部材（６）は、合成ゴム又は熱可塑性ゴム（７）からなる薄板材（６ａ）を繊維板状体（５）の上面（５ａ）およびその周辺である靴底上面（２ｃ）の貫通穴部（４）の周辺部（３ａ）への接着剤による接着および繊維板状体（５）と薄板材（６ａ）の縫合による一体形成からなることを特徴とする室内および室外兼用履き用の靴の靴底（１）。
【請求項４】
靴底（１）の面積大からなる上面部材（６）および靴底（１）の土踏まずと足指間（３）の周辺部（３ａ）を除く中央部（３ｂ）から下方へ突出する部分をフェルトなどの生地からなる繊維板状体（５）とし、該中央部（３ｂ）から下方へ突出する部分の繊維板状体（５）の周囲でかつ該上面部材（６）の下部を合成ゴム又は熱可塑性ゴム（７）から形成し、さらに該繊維板状体（５）と該合成ゴム又は熱可塑性ゴム（７）の一体化により該中央部（３ｂ）から下方へ突出する部分の繊維板状体（５）の下面（５ｂ）と該合成ゴム又は熱可塑性ゴム（７）の下面（７ａ）を靴底（１）の靴底下面（２ａ）としたことを特徴とする室内および室外兼用履き用の靴の靴底（１）。
【請求項５】
請求項４に記載の考案における繊維板状体（５）と合成ゴム又は熱可塑性ゴム（７）の一体化は、繊維板状体（５）に合成ゴム又は熱可塑性ゴム（７）を射出成形により形成してなることを特徴とする室内および室外兼用履き用の靴の靴底（１）。
【請求項６】
請求項５に記載の考案における射出成形に代えて、繊維板状体（５）と合成ゴム又は熱可塑性ゴム（７）の一体化は、繊維板状体（５）に合成ゴム又は熱可塑性ゴム（７）を熱融着又は接着剤による接着により形成してなることを特徴とする室内および室外兼用履き用の靴の靴底（１）。
【考案の詳細な説明】
【技術分野】
【０００１】
この考案は、室内と室外で履くことが兼用できる靴の靴底であって、特に室内で靴を履いた場合に、室内の床面を疵つけることなく、また靴音をよる騒音を発てなくした靴底であり、この機能が長期間にわたって維持することができる靴底に関する。
【背景技術】
【０００２】
従来、わが国では例外的に洋風の建物である場合を除いて、住宅の居間に靴などを履いたままの土足で上がり込むことはなく、一般に玄関で靴を脱いで居間に上がる。このような住宅の生活では、スリッパなどの上履きを履く場合があっても、いわゆる靴などの履物は履くことはしない。したがって、一般に靴は土足用であり、庭にでたり、あるいは通勤や買物やレクリエーションなどに出かける際に道路やグランドを歩くために靴を履く。
【０００３】
しかし、今年の住宅の構造は大きく変わり、一般の居住用の住宅であっても畳を敷いた日本間が全くない住宅が数多く建築されている。このような日本間の無い住宅で過ごす人たちあるいはたとえ日本間があっても多くの時間を洋間で過ごす人たちは、スリッパなどの上履きを玄関の上がり口に用意し、これを室内の上履き用としている。しかし、従来のスリッパは、足の土踏まずから前部の足指部を挿入するようにした形状の甲部をスリッパの底の前部に設けているものが殆どである。しかも、スリッパは家族などの共用としている。したがって、スリッパのサイズも万人向けに大きく、このようなスリッパで歩行すると非常に脱げ易く履き続けにくい。このために日常生活では、スリッパは殆ど使用されることなく、玄関の上がり口に置かれているか、あるいはスリッパ立てに立てられたままとなっている。たまに来客があったときなどにスリッパが使用されるに過ぎない。
【０００４】
一方、ホテルでは旅館と異なり、建物全体が一般に洋式であるので戸外で着用の靴のままホテル内に上がり込み、室内にもその靴で入るのが普通である。このようなホテルは、多くの場合に床面は靴のまま歩いても疵がつきにくく、また靴音による騒音が生じないような床面としているものが多い。これに対し、一般の住居である住宅では、独立した住宅であろうとマンションなどの集合住宅であろうと、たとえ全ての部屋が洋室からなっていても、靴のままで室内に上がるようには建てられていない。そこで、これらの住宅では、靴のまま室内に入ると靴の硬い靴底の面で床面を疵つけたり、あるいはたとえ運動靴のような靴底がゴム底であっても、床面に疵つけ易く、また床面を歩く靴音からなる騒音を立てる。そこで靴を履いた状態での生活は、これらの住居には適さなかった。
【０００５】
従来の靴で、住宅の室内で履くものと屋外で履くものを兼用としたものは見当たらないが、室内用の靴として老人の福祉施設や介護ホームで運動靴タイプのものが多く散見される。しかし、この靴も室内と室外の兼用履き用とするものではない。例えば、航空機の機内用や海外のホテルの室内用として履くために、手軽に形態できるものとして、運動靴タイプの布製の機内履きや室内履きの靴があり、この靴の靴底は布製であり、また、さらに布製の靴底の上にゴム底を設けたものである（例えば、特許文献１参照。）。しかし、これは室内および室外の兼用履き用としたものでは無い。
【０００６】
そこで、出願人は、先に室内および室外兼用履き用の靴の靴底として、靴底の裏面に化学繊維や天然繊維からなる生地の布地を熱圧着あるいは接着剤により接着して設けた室内および室外兼用履き用の靴の靴底を出願して登録されている（例えば、特許文献２参照。）。この靴底は室外で履いて板状態で室内に上がって歩き回っても、室内の床面を疵つけることなく、また騒音を生じることもなく、室外から室内に上がる際にもその度に履き替える手間もないので、室内および室外兼用履き用の靴の靴底として優れている。しかし、靴底の熱圧着や接着剤での接着により設けた繊維からなる生地が場合によっては靴底から剥がれて脱落する恐れがあった。
【先行技術文献】
【特許文献】
【０００７】
【特許文献１】特開２００１−３２７３０２号公報
【特許文献２】登録実用新案第３１３４８９１号公報
【考案の概要】
【考案が解決しようとする課題】
【０００８】
本考案が解決しようとする課題は、室内および室外兼用履き用の靴の靴底として、出願人の先に登録した天然繊維や合成繊維などの繊維の生地を靴底面に有する靴底に劣ることのない優れた機能を有しながらも、天然繊維や合成繊維などの繊維の生地が靴底面から脱落することのない構造とした室内および室外兼用履き用の靴の靴底を提供することである。
【課題を解決するための手段】
【０００９】
上記の課題を解決するための本考案は、請求項１の手段では、合成ゴム又は熱可塑性ゴム７からなる靴底１の土踏まずと足指間３の中央部３ｂの貫通穴部４に嵌合の上記の靴底１の靴底厚さ２ｂより薄いフェルトなどの天然繊維や合成繊維などの繊維（天然繊維や合成繊維などの繊維を以下、単に「繊維」という。）の生地からなる繊維板状体５と繊維板状体５の上面５ａに一体形成した合成ゴム又は熱可塑性ゴム７からなる上面部材６により、靴底１の土踏まずと足指間３の合成ゴム又は熱可塑性ゴム７からなる周辺部３ａの上面３ｃに取り付け、繊維板状体５の下面５ｂを靴底１の貫通穴部４における靴底面２ａとしたことを特徴とする室内および室外兼用履き用の靴の靴底１である。
【００１０】
請求項２の手段では、請求項１の手段における繊維板状体５の上面５ａに一体形成した合成ゴム又は熱可塑性ゴム７からなる上面部材６は、繊維板状体５の上面５ａおよびその周辺である靴底上面２ｃの貫通穴部４の周辺部３ａへの合成ゴム又は熱可塑性ゴム７の射出成形による一体形成からなることを特徴とする室内および室外兼用履き用の靴の靴底１である。
【００１１】
請求項３の手段では、請求項２の手段における合成ゴム又は熱可塑性ゴム７の射出成形による一体形成に代えて、繊維板状体５の上面５ａに一体形成した合成ゴム又は熱可塑性ゴム７からなる上面部材６は、合成ゴム又は熱可塑性ゴム７からなる薄板材６ａを繊維板状体５の上面５ａおよびその周辺である靴底上面２ｃの貫通穴部４の周辺部３ａへの接着剤による接着および繊維板状体５と薄板材６ａの縫合による一体形成からなることを特徴とする室内および室外兼用履き用の靴の靴底１である。
【００１２】
請求項４の手段では、靴底１の面積大からなる上面部材６および靴底１の土踏まずと足指間３の周辺部３ａを除く中央部３ｂから下方へ突出する部分をフェルトなどの生地からなる繊維板状体５とし、該中央部３ｂから下方へ突出する部分の繊維板状体５の周囲でかつ該上面部材６の下部を合成ゴム又は熱可塑性ゴム７から形成し、さらに該繊維板状体５と該合成ゴム又は熱可塑性ゴム７の一体化により該中央部３ｂから下方へ突出する部分の繊維板状体５の下面５ｂと該合成ゴム又は熱可塑性ゴム７の下面７ａを靴底１の靴底下面２ａとしたことを特徴とする室内および室外兼用履き用の靴の靴底１である。
【００１３】
請求項５の手段では、請求項４の手段における繊維板状体５と合成ゴム又は熱可塑性ゴム７の一体化は、繊維板状体５に合成ゴム又は熱可塑性ゴム７を射出成形により形成してなることを特徴とする室内および室外兼用履き用の靴の靴底１である。
【００１４】
請求項６の手段では、請求項５の手段における射出成形に代えて、繊維板状体５と合成ゴム又は熱可塑性ゴム７の一体化は、繊維板状体５に合成ゴム又は熱可塑性ゴム７を熱融着又は接着剤による接着により形成してなることを特徴とする室内および室外兼用履き用の靴の靴底１である。
【考案の効果】
【００１５】
請求項１の考案は、フェルトなどの生地からなる繊維板状体は合成ゴム又は熱可塑性ゴムからなる上面部材と一体成形されているので、長期間の使用においてもその周囲の合成ゴム又は熱可塑性ゴムからなる靴底から容易に剥がれて脱落しない。請求項２の考案はフェルトなどの生地からなる繊維板状体に合成ゴム又は熱可塑性ゴムの上面部材が射出成形により一体化されており、請求項３の考案はフェルトなどの生地からなる繊維板状体に合成ゴム又は熱可塑性ゴムの上面部材が接着剤により接着されさらにミシンにより縫製して一体化されているので、より一層に靴底から容易に剥がれて脱落することがない。
【００１６】
請求項４の考案は、靴底の上面の全面がフェルトなどの生地からなる繊維板状体で形成されているので、歩行時の足裏面の全面に掛かる地面との衝撃が緩和されて履き心地が良く、フェルトなどの生地からなる繊維板状体と靴底の合成ゴム又は熱可塑性ゴムとの接合面積も広いので合成ゴム又は熱可塑性ゴムの靴底が容易に剥がれて脱落することがなく、請求項５の考案はフェルトなどの生地からなる繊維板状体に靴底の合成ゴム又は熱可塑性ゴムが射出成形により一体化されているので、より脱落しにくく、さらに請求項６の考案はフェルトなどの生地からなる繊維板状体に靴底の合成ゴム又は熱可塑性ゴムが熱融着又は接着剤による接着されミシン縫製して一体化されているので、さらにより一層に脱落することがない。
【図面の簡単な説明】
【００１７】
【図１】本考案の実施例の平底靴の靴底の（ａ）は貫通穴部を有する底面図、（ｂ）は繊維板状体を有する底面図、（ｃ）は（ｂ）の矢視Ａ−Ａから見た側面図である。
【図２】本考案の実施例の平底靴の靴底の貫通穴部に嵌合する繊維板状体の（ａ）は上面図、（ｂ）は（ａ）の矢視Ｂ−Ｂから見た側面図である。
【図３】本考案の実施例のハイヒールの靴底の（ａ）は底面図、（ｂ）は（ａ）の矢視Ｃ−Ｃから見た側面図である。
【図４】本考案の実施例の平底靴の靴底の（ａ）は底面図、（ｂ）は（ａ）の矢視Ｄ−Ｄから見た側面図である。
【考案を実施するための形態】
【００１８】
本考案を実施するための形態を図面を参照して説明する。先ず、請求項１の考案の実施の形態では、図１に示す平底靴の靴底１ａを例として説明する。図１の（ａ）に示す靴底１ａの前部には土踏まずと足指間３の中央部３ｂに貫通穴部４を有し、靴底１ａの後部には踵部リフト９を有する。これらの靴底１ａの貫通穴部４の周辺部３ａと土踏まずの部分と踵部リフト９の部分は合成ゴム又は熱可塑性ゴム７から形成されている。さらに、図１の（ａ）の靴底１ａの靴底下面２ａの貫通穴部４には、図１の（ｂ）に示すようにフェルトなどの生地からなる繊維板状体５が嵌合されており、この繊維板状体５の下面５ｂはその周囲の合成ゴム又は熱可塑性ゴム７の下面７ａと共に靴底下面２ａを形成している。この靴底１は、図１の（ｃ）の側面図に示すように、貫通穴部４に有する繊維板状体５は合成ゴム又は熱可塑性ゴム７からなる靴底１の靴底厚さ２ｂより厚さが少し薄く形成され、靴底１の貫通穴部４に挿着されており、靴底下面２ａとなる繊維板状体５の下面５ｂは下方に僅か突出している。この繊維板状体５の上面５ａは合成ゴム又は熱可塑性ゴム７からなる上面部材６である薄板材６ａを一体形成して有している。この場合、合成ゴム又は熱可塑性ゴム７からなる靴底１の土踏まずと足指間３の貫通穴部４の周辺部３ａの上端の形状は角部が削がれて面取り部４ａとなっている。この合成ゴム又は熱可塑性ゴム７からなる薄板材６ａの面取り部４ａに嵌合する部分の周辺の形状は面取り部４ａに副う形状に斜めに削がれており、その上部周辺の部分は靴底１の土踏まずと足指間３の周辺部３ａの上面３ｃに載置できる大きさからなっている。さらに、この上面部材６を周辺部３ａの上面３ｃに取り付け、さらに上面部材６をフェルトなどの生地からなる繊維板状体５と一体化することで、フェルトなどの生地からなる繊維板状体５からなる靴底１の部分と合成ゴム又は熱可塑性ゴム７からなる靴底１の部分は一体化されている。したがって、この一体化により、この靴を長期間にわたって使用しても繊維板状体５はその周囲のゴム又は熱可塑性ゴム７からなる靴底１から容易に剥がれて脱落することはない。
【００１９】
図１の（ｃ）に示すように、繊維板状体５の下面５ｂは貫通穴部４における靴底下面２ａに形成されて周囲の合成ゴム又は熱可塑性ゴム７からなる靴底下面２ａよりもやや下部に突出している場合には、歩行時の土踏まずと足指間３に掛かる体重をこの部分で受けることで、この靴底１を有する靴を室内で履いた時に、室内の床面を疵つけることなく、さらに騒音も発することがなく、この靴を履いた状態で室外に出て、再び室内に履いた状態で戻ることがこともでき、室内および室外兼用履き用の靴の靴底１となっている。
【００２０】
請求項２の考案の実施の形態では、平底靴の靴底１ａにおける靴底１であり、図１の（ｃ）に示すように、フェルトなどの生地からなる繊維板状体５の上面５ａに一体形成した合成ゴム又は熱可塑性ゴム７からなる上面部材６の薄板材６ａは、繊維板状体５の上面５ａおよびその周辺である靴底上面２ｃの貫通穴部４の周辺部３ａの上面３ｃへ合成ゴム又は熱可塑性ゴム７を射出成形により形成している。この形成によりフェルトなどの生地からなる繊維板状体５はその周辺の合成ゴム又は熱可塑性ゴム７からなる靴底上面２ｃと一体化されている。したがって、この靴底１を有する靴を長期間使用しても、フェルトなどの生地からなる繊維板状体５はその周辺の合成ゴム又は熱可塑性ゴム７からなる靴底１から容易に脱落することはない。
【００２１】
さらに、請求項３の実施の形態では、平底靴の靴底１ａにおける靴底１であり、同じく図１の（ｃ）に示すように、フェルトなどの生地からなる繊維板状体５の上面５ａに一体形成した合成ゴム又は熱可塑性ゴム７からなる上面部材６の薄板材６ａは、繊維板状体５の上面５ａおよびその周辺の靴底上面２ｃの貫通穴部４の周辺部３ａの上面３ｃへ合成ゴム又は熱可塑性ゴム７からなる薄板材６ａの下面６ｂを、図２の（ｂ）に示す繊維板状体５の上面５ａおよび図１の（ｃ）に示す周辺の靴底上面２ｃの貫通穴部４の周辺部３ａの上面３ｃに接着剤により接着し、さらに、図２に示すように合成ゴム又は熱可塑性ゴム７からなる薄板材６ａをフェルトなどの生地からなる繊維板状体５にミシン目８で縫合することにより強固に一体化している。したがって、この靴底１を有する靴を長期間使用しても、フェルトなどの生地からなる繊維板状体５はその周辺の合成ゴム又は熱可塑性ゴム７からなる靴底１から容易に脱落することはない。
【００２２】
さらに、図３の（ａ）および（ｂ）に示す実施の形態の靴底１は、上記の平底靴の靴底１ａにおける靴底１と異なってハイヒールの靴底１ｂからなる靴底１であり、踵部リフト９がハイヒールに形成されているものであり、これ以外の点は上記した図１および図２に示す平底靴の靴底１ａとその形成手段は同一である。すなわち、合成ゴム又は熱可塑性ゴム７の射出成形により上面部材６をフェルトなどの生地からなる繊維板状体５の上面５ａに形成するか、あるいは合成ゴム又は熱可塑性ゴム７の上面部材６の薄板材６ａをフェルトなどの生地からなる繊維板状体５の上面５ａおよびその周囲の合成ゴム又は熱可塑性ゴム７からなる靴底１ｂに接着剤により接着し、さらに接着した合成ゴム又は熱可塑性ゴム７からなる上面部材６の薄板材６ａをフェルトなどの生地からなる繊維板状体５にミシン目８で縫合することにより強固に一体化している。したがって、この靴底１を有する靴を長期間使用しても、フェルトなどの生地からなる繊維板状体５はその周辺の合成ゴム又は熱可塑性ゴム７からなる靴底１から容易に脱落することはない。
【００２３】
請求項４の実施の形態では、図４の（ａ）および（ｂ）に示すように、平底靴の靴底１ａの面積大からなる上面部材６および靴底１の土踏まずと足指間３の周辺部３ａを除く中央部３ｂから下方へ突出する部分をフェルトなどの生地からなる繊維板状体５とするものであり、上記の図１〜図３の靴底１の構造と逆の構造をしている。すなわち、この中央部３ｂから下方へ突出する部分の繊維板状体５の周囲および上記の中央部３以外の上面部材６である繊維板状体５の下部に合成ゴム又は熱可塑性ゴム７からなる靴底１ａを一体化して設けている。すなわち、中央部３ｂから下方へ突出する繊維板状体５の下面５ｂとこの中央部３ｂの繊維板状体５の下面５ｂ以外である合成ゴム又は熱可塑性ゴム７の下面７ａを靴底１の靴底下面２ａとしている。したがって、この靴底１を有する靴を長期間使用しても、フェルトなどの生地からなる繊維板状体５はその周辺の合成ゴム又は熱可塑性ゴム７からなる靴底１から容易に脱落することはない。
【００２４】
請求項５の実施の形態では、請求項４の実施の形態と同様であり、図４の（ａ）および（ｂ）に示すように、平底靴の靴底１ａの面積大からなる上面部材６および靴底１の土踏まずと足指間３の周辺部３ａを除く中央部３ｂから下方へ突出する部分をフェルトなどの生地からなる繊維板状体５とするものである。すなわち、この中央部３ｂから下方へ突出する部分の繊維板状体５の周囲および上記の中央部３以外の上面部材６の下部に、合成ゴム又は熱可塑性ゴム７を射出成形することにより、この上面部材６である繊維板状体５をその下部の合成ゴム又は熱可塑性ゴム７からなる靴底１ａに一体化して靴底１の靴底下面２ａとしている。したがって、この靴底１を有する靴を長期間使用しても、フェルトなどの生地からなる繊維板状体５はその周辺の合成ゴム又は熱可塑性ゴム７からなる靴底１から容易に脱落することはない。
【００２５】
請求項６の手段では、請求項５の実施の形態における射出成形に代えて、図４の（ａ）および（ｂ）に示すフェルトなどの生地からなる繊維板状体５と合成ゴム又は熱可塑性ゴム７の一体化は、フェルトなどの生地からなる繊維板状体５に合成ゴム又は熱可塑性ゴム７を熱融着又は接着剤による接着により形成して一体化している。したがって、この靴底１を有する靴を長期間使用しても、フェルトなどの生地からなる繊維板状体５はその周辺の合成ゴム又は熱可塑性ゴム７からなる靴底１から容易に脱落することはない。
【符号の説明】
【００２６】
１  靴底
１ａ  平底靴の靴底
１ｂ  ハイヒールの靴底
２ａ  靴底下面
２ｂ  靴底厚さ
２ｃ  靴底上面
３  土踏まずと足指間
３ａ  周辺部
３ｂ  中央部
３ｃ  上面
４  貫通穴部
４ａ  面取り部
５  繊維板状体
５ａ  上面
５ｂ  下面
６  上面部材
６ａ  薄板材
６ｂ  下面
７  合成ゴム又は熱可塑性ゴム
７ａ  下面
８  ミシン目
９  踵部リフト
【図１】
0003150791.tif 000003
【図２】
0003150791.tif 000004
【図３】
0003150791.tif 000005
【図４】
0003150791.tif 000006
【手続補正書】
【提出日】平成21年3月26日(2009.3.26)
【手続補正１】
【補正対象書類名】実用新案登録請求の範囲
【補正対象項目名】全文
【補正方法】変更
【補正の内容】
【実用新案登録請求の範囲】
【請求項１】
合成ゴム又は熱可塑性ゴム７からなる靴底（１）の土踏まずと足指間（３）の中央部（３ｂ）の貫通穴部（４）に嵌合の上記の靴底（１）の靴底厚さ（２ｂ）より薄いフェルトなどの天然繊維や合成繊維などの繊維の生地からなる繊維板状体（５）と繊維板状体（５）の上面（５ａ）に一体形成した合成ゴム又は熱可塑性ゴム（７）からなる上面部材（６）により、靴底（１）の土踏まずと足指間（３）の合成ゴム又は熱可塑性ゴム（７）からなる周辺部（３ａ）の上面（３ｃ）に取り付け、繊維板状体（５）の下面（５ｂ）を靴底（１）の貫通穴部（４）における靴底面（２ａ）としたことを特徴とする室内および室外兼用履き用の靴の靴底（１）。
【請求項２】
合成ゴム又は熱可塑性ゴム７からなる靴底（１）の土踏まずと足指間（３）の中央部（３ｂ）の貫通穴部（４）に嵌合の上記の靴底（１）の靴底厚さ（２ｂ）より薄いフェルトなどの天然繊維や合成繊維などの繊維の生地からなる繊維板状体（５）と繊維板状体（５）の上面（５ａ）およびその周辺である靴底上面（２ｃ）の貫通孔部（４）の周辺部（３ａ）へ射出成形により一体形成した合成ゴム又は熱可塑性ゴム（７）からなる上面部材（６）により、靴底（１）の土踏まずと足指間（３）の合成ゴム又は熱可塑性ゴム（７）からなる周辺部（３ａ）の上面（３ｃ）に取り付け、繊維板状体（５）の下面（５ｂ）を靴底（１）の貫通穴部（４）における靴底面（２ａ）としたことを特徴とする室内および室外兼用履き用の靴の靴底（１）。
【請求項３】
合成ゴム又は熱可塑性ゴム７からなる靴底（１）の土踏まずと足指間（３）の中央部（３ｂ）の貫通穴部（４）に嵌合の上記の靴底（１）の靴底厚さ（２ｂ）より薄いフェルトなどの天然繊維や合成繊維などの繊維の生地からなる繊維板状体（５）と繊維板状体（５）の上面（５ａ）およびその周辺である靴底上面（２ｃ）の貫通穴部（４）の周辺部（３ａ）へ合成ゴム又は熱可塑性ゴム（７）からなる薄板材（６ａ）の接着剤による接着および繊維板状体（５）と薄板材（６ａ）の縫合により一体形成した合成ゴム又は熱可塑性ゴム（７）からなる上面部材（６）により、靴底（１）の土踏まずと足指間（３）の合成ゴム又は熱可塑性ゴム（７）からなる周辺部（３ａ）の上面（３ｃ）に取り付け、繊維板状体（５）の下面（５ｂ）を靴底（１）の貫通穴部（４）における靴底面（２ａ）としたことを特徴とする室内および室外兼用履き用の靴の靴底（１）。
【請求項４】
靴底（１）の面積大からなる上面部材（６）および靴底（１）の土踏まずと足指間（３）の周辺部（３ａ）を除く中央部（３ｂ）から下方へ突出する部分をフェルトなどの生地からなる繊維板状体（５）とし、該中央部（３ｂ）から下方へ突出する部分の繊維板状体（５）の周囲でかつ該上面部材（６）の下部を合成ゴム又は熱可塑性ゴム（７）から形成し、さらに該繊維板状体（５）と該合成ゴム又は熱可塑性ゴム（７）の一体化により該中央部（３ｂ）から下方へ突出する部分の繊維板状体（５）の下面（５ｂ）と該合成ゴム又は熱可塑性ゴム（７）の下面（７ａ）を靴底（１）の靴底下面（２ａ）としたことを特徴とする室内および室外兼用履き用の靴の靴底（１）。
【請求項５】
靴底（１）の面積大からなる上面部材（６）および靴底（１）の土踏まずと足指間（３）の周辺部（３ａ）を除く中央部（３ｂ）から下方へ突出する部分をフェルトなどの生地からなる繊維板状体（５）とし、該中央部（３ｂ）から下方へ突出する部分の繊維板状体（５）の周囲でかつ該上面部材（６）の下部を合成ゴム又は熱可塑性ゴム（７）から形成し、さらに該繊維板状体（５）に該合成ゴム又は熱可塑性ゴム（７）を射出成形による一体化により該中央部（３ｂ）から下方へ突出する部分の繊維板状体（５）の下面（５ｂ）と該合成ゴム又は熱可塑性ゴム（７）の下面（７ａ）を靴底（１）の靴底下面（２ａ）としたことを特徴とする室内および室外兼用履き用の靴の靴底（１）。
【請求項６】
靴底（１）の面積大からなる上面部材（６）および靴底（１）の土踏まずと足指間（３）の周辺部（３ａ）を除く中央部（３ｂ）から下方へ突出する部分をフェルトなどの生地からなる繊維板状体（５）とし、該中央部（３ｂ）から下方へ突出する部分の繊維板状体（５）の周囲でかつ該上面部材（６）の下部を合成ゴム又は熱可塑性ゴム（７）から形成し、さらに該繊維板状体（５）に該合成ゴム又は熱可塑性ゴム（７）を熱融着又は接着剤による接着により一体化により該中央部（３ｂ）から下方へ突出する部分の繊維板状体（５）の下面（５ｂ）と該合成ゴム又は熱可塑性ゴム（７）の下面（７ａ）を靴底（１）の靴底下面（２ａ）としたことを特徴とする室内および室外兼用履き用の靴の靴底（１）。